(57)【要約】【課題】広角側で像面彎曲を小さく補正することが可能なズームレンズを提供すること【解決手段】物体側から像側に順に、負の屈折力の第１レンズ群Ｌ１、正の屈折力の第２レンズ群Ｌ２、負の屈折力の第３レンズ群Ｌ３、正の屈折力の第４レンズ群Ｌ４を有するズームレンズにおいて、第４レンズ群は、物体側に凸面を向けたメニスカス形状の第１負レンズＮＬの物体側に配置された正の屈折力の第４１レンズ群Ｌ４１と、第１負レンズを含む負の屈折力の第４２レンズ群Ｌ４２を有し、第４レンズ群の焦点距離をｆＬ、第４２レンズ群の焦点距離をｆＬｂとするとき、−１０＜ｆＬｂ／ｆＬ＜−１を満足する。【選択図】図１
2012063568.tif 000002
【特許請求の範囲】
【請求項１】
物体側から像側に順に、負の屈折力の第１レンズ群、正の屈折力の第２レンズ群、負の屈折力の第３レンズ群、正の屈折力の第４レンズ群を有し、各レンズ群の間隔を変化させることによって変倍を行うズームレンズであって、
前記第４レンズ群は、物体側に凸面を向けたメニスカス形状の第１負レンズの物体側に配置された正の屈折力の第４１レンズ群と、前記第１負レンズを含む負の屈折力の第４２レンズ群を有し、
前記第４レンズ群の焦点距離をｆＬ、前記第４２レンズ群の焦点距離をｆＬｂとするとき、
−１０＜  ｆＬｂ／ｆＬ  ＜−１
を満足することを特徴とするズームレンズ。
【請求項２】
広角端における全系の焦点距離をｆｗとするとき、
２  ＜  ｆＬ／ｆｗ  ＜  ３．５
を満足することを特徴とする請求項１に記載のズームレンズ。
【請求項３】
前記第４１レンズ群は、両凸形状の正レンズと像側に凸面を向けたメニスカス形状の負レンズからなる接合レンズを有し、
前記第４２レンズ群は、前記第１負レンズと該第１負レンズの像側に配置された両凸形状の正レンズからなる接合レンズと、前記第４２レンズ群の接合レンズの像側に配置された第２負レンズと、を有することを特徴とする前記請求項１または２に記載のズームレンズ。
【請求項４】
前記第４レンズ群は非球面を有することを特徴とする請求項１ないし３のうちいずれか一項に記載のズームレンズ。
【請求項５】
請求項１ないし４のうちいずれか一項に記載のズームレンズと、当該ズームレンズによって形成された光学像を光電変換する撮像素子と、を有することを特徴とする光学機器。
【発明の詳細な説明】
【技術分野】
【０００１】
本発明は、ズームレンズに係り、特に、レンズ交換式のズームレンズに関する。
【背景技術】
【０００２】
特許文献１は、物体側から負の屈折力のレンズ群、負の屈折力のレンズ群、正の屈折力のレンズ群、負の屈折力のレンズ群、正の屈折力のレンズ群からなるズームレンズを開示している。特許文献２は、負の屈折力のレンズ群、正の屈折力のレンズ群、負の屈折力のレンズ群、正の屈折力のレンズ群からなるズームレンズを開示している。
【先行技術文献】
【特許文献】
【０００３】
【特許文献１】特開２００３−１４９５５２号公報
【特許文献２】特開２００７−０１０９１３号公報
【発明の概要】
【発明が解決しようとする課題】
【０００４】
しかしながら、上述の特許文献に開示された従来技術は、画角が大きいためにサジタル断面における像面彎曲量が大きく、特に広角側において結像性能が劣化するという課題がある。
【０００５】
そこで、本発明は、広角側で像面彎曲を小さく補正することが可能なズームレンズを提供することを例示的な目的とする。
【課題を解決するための手段】
【０００６】
本発明のズームレンズは、物体側から像側に順に、負の屈折力の第１レンズ群、正の屈折力の第２レンズ群、負の屈折力の第３レンズ群、正の屈折力の第４レンズ群を有し、各レンズ群の間隔を変化させることによって変倍を行うズームレンズであって、前記第４レンズ群は、物体側に凸面を向けたメニスカス形状の第１負レンズの物体側に配置された正の屈折力の第４１レンズ群と、前記第１負レンズを含む負の屈折力の第４２レンズ群とを有し、前記第４レンズ群の焦点距離をｆＬ、前記第４２レンズ群の焦点距離をｆＬｂとするとき、−１０＜ｆＬｂ／ｆＬ＜−１を満足することを特徴とする。
【発明の効果】
【０００７】
本発明によれば、広角側で像面彎曲を小さく補正することが可能なズームレンズを提供することができる。
【図面の簡単な説明】
【０００８】
【図１】本実施例のズームレンズの断面図である。
【図２】数値実施例１のズームレンズの断面図である。
【図３】数値実施例１のズームレンズの広角端、中間、望遠端における収差図である。
【図４】数値実施例２のズームレンズの断面図である。
【図５】数値実施例２のズームレンズの広角端、中間、望遠端における収差図である。
【図６】数値実施例３のズームレンズの断面図である。
【図７】数値実施例３のズームレンズの広角端、中間、望遠端における収差図である。
【図８】数値実施例４のズームレンズの断面図である。
【図９】数値実施例４のズームレンズの広角端、中間、望遠端における収差図である。
【図１０】数値実施例５のズームレンズの断面図である。
【図１１】数値実施例５のズームレンズの広角端、中間、望遠端における収差図である。
【図１２】数値実施例６のズームレンズの断面図である。
【図１３】数値実施例６のズームレンズの広角端、中間、望遠端における収差図である。
【図１４】図１の第４レンズ群Ｌ４の軸外光束の屈曲を説明する図である。
【発明を実施するための形態】
【０００９】
図１は、本実施例のズームレンズの断面図である。ズームレンズは、各レンズ群の間隔を変化させることによって変倍を行う複数のレンズ群を有している。
【００１０】
本実施例のズームレンズは、物体側から像側に順に、負の屈折力を有する第１レンズ群Ｌ１、正の屈折力を有する第２レンズ群Ｌ２、負の屈折力を有する第３レンズ群Ｌ３、正の屈折力を有する第４レンズ群Ｌ４を有する。図１において、ＳＰは絞り、ＦＰはフレア絞り、ＩＰは像面である。矢印は広角端から望遠端への変倍を行う際の各レンズ群の移動軌跡を示している。
【００１１】
ズームレンズの各レンズ群は光軸方向に移動可能である。広角端から望遠端への変倍に際して、第１レンズ群Ｌ１を像面側に凸状の軌跡で移動させて、変倍に伴う像面変動を補正している。また、第２レンズ群Ｌ２を第２レンズ群Ｌ２と第１レンズ群Ｌ１との間隔が小さくなるように移動させる。また、第３レンズ群Ｌ３を第３レンズ群Ｌ３と第２レンズ群Ｌ２との間隔が大きくなるように移動させ、第４レンズ群Ｌ４を第４レンズ群Ｌ４と第３レンズ群Ｌ３との間隔が小さくなるように移動させる。
【００１２】
第４レンズ群Ｌ４は、物体側に凸面を向けたメニスカス形状の第１負レンズＮＬの物体側に配置されて正の屈折力を有する第４１レンズ群Ｌ４１と、前記第１負レンズを有して負の屈折力を有する第４２レンズ群Ｌ４２を有する。  第４レンズ群の焦点距離ｆＬと第４２レンズ群Ｌ４２の焦点距離ｆＬｂは次式を満足する。
【００１３】
【数１】
2012063568.tif 000003
【００１４】
これにより、第４１レンズ群Ｌ４１の焦点距離も短くなり、図１４に示すように、軸外光束は、第４レンズ群内で大きく屈曲されるので、広角端におけるサジタル像面の彎曲収差が良好に補正されている。
【００１５】
第１レンズ群Ｌ１は、物体側に凸面を向けた凹レンズＬ１０１と物体側に凸面を向けた凹レンズＬ１０２を有する。それぞれに非球面を設けることにより広角端における歪曲収差の補正と像面彎曲の補正を行っているが、歪曲収差を補正するとサジタル像面が彎曲し、サジタル像面の彎曲を補正すると歪曲収差が発生する。
【００１６】
そのため、前述の第４レンズ群Ｌ４の構成を設定することにより、広角端において第１レンズ群Ｌ１で歪曲収差とサジタル像面の彎曲を良好に補正しつつ、超広画角でしかも全変倍範囲にわたり高い光学性能を有したズームレンズを得ている。変倍に伴う焦点調節は、第２レンズ群Ｌ２の全部または一部のレンズを像側に移動することで行っている。
【００１７】
数式１の上限値を越えると望遠側で軸上色収差と倍率色収差が共に補正過剰となり、下限値を越えると第４レンズ群Ｌ４での軸外光線の屈曲が少なくなり像面彎曲の補正が難しくなる。
【００１８】
数式１の数値範囲を次の如く設定すると収差補正の点で更に好ましい。
【００１９】
【数２】
2012063568.tif 000004
【００２０】
第４レンズ群Ｌ４がサジタル像面彎曲の補正作用を有するためには、第４レンズ群Ｌ４の焦点距離ｆＬが広角端の全系の焦点距離ｆｗに対して次式を満足するのが望ましい。
【００２１】
【数３】
2012063568.tif 000005
【００２２】
数式３の上限値を超えると第４レンズ群Ｌ４の屈折力が弱くなり、変倍作用が低下し、所定の変倍比を得るための移動量が大きくなり、光学系が大型化する。また、下限値を超えると第４レンズ群Ｌ４の屈折力が強くなり、第４１レンズ群Ｌ４１の屈折力が強くなりすぎてサジタル像面彎曲の補正が過剰となる。
【００２３】
第４２レンズ群Ｌ４２は、第１負レンズＮＬと両凸形状のレンズＰＬの接合レンズと、該接合レンズの像側に、負の屈折力の第２負レンズＮＬ２とを有しており、全体として負の屈折力を有する。第４１レンズ群Ｌ４１は物体側から両凸形状のレンズＱＬと凹レンズＭＬの接合レンズを有し、望遠端での軸上色収差を良好に補正することができる。
【００２４】
第４レンズ群Ｌ４に少なくとも一つの非球面を設けることにより、サジタル像面彎曲をさらに改善することができる。第４２レンズ群Ｌ４２の凸レンズＰＬと第２負レンズＮＬ２の境界面を接合し、第４２レンズ群を３枚貼り構成としてもよい。
【００２５】
第２レンズ群Ｌ２は、正の屈折力の第２１レンズ群Ｌ２１と、正の屈折力の第２２レンズ群Ｌ２２からなり、フォーカスは第２レンズ群の全部または一部のレンズを像側に移動して行っている。ここで、第２１レンズ群Ｌ２１と第２２レンズ群Ｌ２２の間隔を変倍中に変化させると、望遠端におけるコマ収差が改善される。
【００２６】
若しくは、後述する図１２に示すように、第１レンズ群Ｌ１を負の屈折力の第１１レンズ群Ｌ１１と負の屈折力の第１２レンズ群Ｌ１２で構成し、第１１レンズ群Ｌ２１と第１２レンズ群Ｌ１２の間隔を変倍中に変化させてもよい。この場合は、第１２レンズ群Ｌ１２を物体側に移動することによって変倍に伴う焦点調節を行う。
【００２７】
正の屈折力の第２レンズ群Ｌ２は、負レンズと正レンズの接合レンズを有し、負の屈折力の第３レンズ群Ｌ３は正レンズと負レンズを有する。これにより全変倍範囲に亘り諸収差の変動を少なくし、高い光学性能を得ている。
【００２８】
本実施例のズームレンズを搭載した不図示の交換レンズユニットは、不図示の光学機器（例えば、デジタル一眼レフカメラ）本体に交換可能に取り付けられる。かかる光学機器は、撮影光学系を構成するズームレンズによって形成された光学像を光電変換する撮像素子を有する。本実施例のズームレンズを搭載した光学機器は、ズームレンズが広角側で像面湾曲が小さいために優れた光学性能を発揮する。
【００２９】
次に、数値実施例を示す。数値実施例においてｒｉは物体側より順に第ｉ番目のレンズ面の曲率半径（ｍｍ）、ｄｉは物体側より第ｉ番目のレンズ厚及び空気間隔（ｍｍ）、ｎｉとνｉは各々物体側より順に第ｉ番目のレンズのガラスの屈折率とアッベ数である。
【００３０】
非球面形状は光軸方向にＸ軸、光軸と垂直方向にｈ軸、光の進行方向を正としｒを近軸曲率半径（ｍｍ）、ｋ，Ａ４，Ａ６，Ａ８，Ａ１０，Ａ１２を各々非球面係数としたとき次式で与えられる。但し、Ｒは曲率半径（ｍｍ）である。
【００３１】
【数４】
2012063568.tif 000006
【００３２】
また、表１は数式１及び３と数値実施例における諸数値との関係を示している。
（数値実施例１）
図２は、数値実施例１のズームレンズの断面図であり、直角方向の矢印はフォーカスを行うレンズ群を表している。図３は、数値実施例１のズームレンズの広角端、中間、望遠端の収差図である。収差図において、ｄ（実線）、ｇ（二点鎖線）はそれぞれｄ線、ｇ線に関する収差であることを示している。ΔＭ（破線）およびΔＳ（実線）はそれぞれメリディオナル像面およびサジタル像面を示し、ωは半画角、ＦｎｏはＦナンバーを示している。また、以下の面データにおいても長さの単位はｍｍである。
面データ
面番号       r        d      nd         vd       有効径
1*        40.277    2.30   1.77250    49.6       51.77
2         18.794   13.54                         35.50
3         94.075    2.20   1.80400    46.6       36.94
4         23.959    0.54   1.51742    52.4       32.02
5*        22.491    7.63                         32.01
6        -60.789    4.94   1.75393    52.3       32.06
7       17671.170   0.33                         32.32
8         58.335    6.86   1.63636    35.4       32.49
9        -97.858  (可変)                         31.89
10         69.279    3.42   1.80518    25.4       25.87
11         24.155    7.87   1.61293    37.0       24.46
12        519.624    0.10                         24.57
13         79.009    3.80   1.68894    31.3       24.95
14       -504.348  (可変)                         25.20
15        230.176    3.82   1.56907    71.3       26.82
16        -47.693  (可変)                         26.88
17(絞り)    ∞       0.17                         24.38
18       -446.454    2.83   1.83918    23.9       24.38
19        152.255    5.85                         23.94
20        -33.122    2.20   1.80440    39.6       23.63
21         44.492    5.49   1.84666    23.8       25.38
22        -70.055  (可変)                         26.01
23         29.310   11.41   1.52855    77.0       30.29
24        -26.706    2.20   1.79952    42.2       30.28
25        -39.687    0.10                         31.04
26        150.907    2.20   1.90366    31.3       29.73
27         37.423    8.35   1.48656    84.5       28.58
28        -29.479    2.20   1.83441    37.3       28.37
29*       -98.069  (可変)                         29.00
像面        ∞   
非球面データ
第１面
K = 0.00000e+000  A 4= 5.71356e-006  A 6=-1.00504e-009  A 8=-2.79392e-013  A10= 8.60268e-015  A12=-6.76224e-018  
第５面
K = 0.00000e+000  A 4=-1.39393e-006  A 6=-4.37133e-008  A 8= 3.03124e-012  A10=-1.52083e-013  A12=-3.77143e-016  
第２９面
K = 0.00000e+000  A 4= 1.12832e-005  A 6= 1.88250e-008  A 8=-8.03672e-012  A10= 1.00956e-013  
各種データ
ズーム比      1.77 
広角     中間     望遠
焦点距離      16.48    24.02    29.15  
Fナンバー      2.28     2.65     2.91  
画角          52.70    42.01    36.58  
像高          21.64    21.64    21.64  
レンズ全長   181.74   175.53   176.17  
BF            40.00    49.45    56.60  
d 9           24.97     7.06     0.20  
d14            2.03     9.68    11.90  
d16            0.10     4.68     7.02  
d22           14.29     4.32     0.10  
d29           40.00    49.45    56.60  
入射瞳位置    23.71    23.84    24.08  
射出瞳位置   -74.26   -41.73   -33.22  
前側主点位置  37.81    41.53    43.77  
後側主点位置  23.52    25.43    27.45  
ズームレンズ群データ
群  始面    焦点距離  レンズ構成長  前側主点位置  後側主点位置
1    1     -24.56        38.34         5.60        -28.63
2   10      81.00        15.19         4.04         -5.34
3   15      69.77         3.82         2.02         -0.42
4   17     -57.09        16.54         1.93        -10.32
5   23      49.85        26.47         0.30        -16.38
単レンズデータ
レンズ  始面  焦点距離
1       1    -47.84
2       3    -40.55
3       4   -811.14
4       6    -80.34
5       8     58.43
6      10    -47.67
7      11     41.08
8      13     99.41
9      15     69.77
10      18   -135.00
11      20    -23.31
12      21     32.86
13      23     28.44
14      24   -110.43
15      26    -55.58
16      27     35.33
17      28    -51.26
（数値実施例２）
図４は、数値実施例２のズームレンズの断面図であり、直角方向の矢印はフォーカスを行うレンズ群を表している。図５は、数値実施例２のズームレンズの広角端、中間、望遠端の収差図である。収差図の定義は数値実施例１と同様である。
面データ
面番号       r        d      nd         vd       有効径
1*        51.147    2.20   1.77250    49.6       51.21
2         18.533   14.17                         34.80
3        625.270    2.20   1.80400    46.6       35.54
4         31.943    0.52   1.51640    52.2       31.85
5*        34.723    5.84                         31.81
6        -67.390    2.92   1.75393    52.3       31.77
7       -633.718    0.53                         31.87
8         53.574    8.61   1.64769    33.8       31.86
9       -159.887  (可変)                         30.53
10         63.960    2.20   1.78472    25.7       27.41
11         25.901    7.53   1.57501    41.5       27.78
12        463.363    1.06                         28.79
13         73.085    5.69   1.69350    53.2       29.91
14       -125.391    2.35                         30.21
15        278.347    3.35   1.62005    36.4       30.18
16       -152.343  (可変)                         30.07
17(絞り)    ∞       0.42                         27.17
18       -220.725    2.20   1.84666    23.8       27.17
19      -4816.749    1.43                         27.04
20        -63.498    2.20   1.83501    43.1       27.04
21         34.494    5.56   1.80486    24.7       27.98
22       -246.593    0.10                         28.34
23          ∞     (可変)                         28.44
24         29.581   10.32   1.52855    77.0       29.22
25        -26.943    2.20   1.83481    42.7       28.61
26        -40.697    0.10                         28.71
27        110.764    2.20   1.83400    37.2       28.07
28         24.117    8.83   1.56907    71.3       26.92
29        -33.053    0.10                         26.87
30        -32.101    2.20   1.81474    37.0       26.86
31*      -209.158  (可変)                         27.43
像面        ∞   
非球面データ
第1面
K = 0.00000e+000  A 4= 7.95862e-006  A 6=-1.88465e-009  A 8=-1.29444e-012  A10= 1.17254e-014  A12=-8.86325e-018  
第5面
K = 0.00000e+000  A 4= 7.06059e-006  A 6=-2.60128e-008  A 8= 5.48682e-011  A10=-3.71021e-013  A12= 3.24151e-016  
第31面
K = 0.00000e+000  A 4= 9.99514e-006  A 6= 2.46662e-008  A 8=-4.54023e-011  A10= 2.29105e-013  
各種データ
ズーム比      2.06 
広角     中間     望遠
焦点距離      16.48    24.00    33.95  
Fナンバー      2.90     2.90     2.91  
画角          52.70    42.03    32.51  
像高          21.64    21.64    21.64  
レンズ全長   178.10   170.87   172.62  
BF            40.00    48.45    61.71  
d 9           24.44     9.19     0.11  
d16            0.10     8.13    13.66  
d23           16.53     8.06     0.10  
d31           40.00    48.45    61.71  
入射瞳位置    22.13    22.09    22.51  
射出瞳位置   -60.92   -37.81   -24.47  
前側主点位置  35.92    39.41    43.08  
後側主点位置  23.52    24.45    27.76  
ズームレンズ群データ
群  始面    焦点距離  レンズ構成長  前側主点位置  後側主点位置
1    1     -23.47        36.99         4.63        -27.16
2   10      44.09        22.18         8.51         -7.08
3   17     -69.94        11.91         1.44         -6.05
4   24      49.61        25.95        -0.47        -16.19
単レンズデータ
レンズ  始面  焦点距離
1       1    -38.76
2       3    -41.94
3       4    726.62
4       6   -100.24
5       8     62.95
6      10    -56.92
7      11     47.41
8      13     67.37
9      15    159.26
10      18   -273.28
11      20    -26.50
12      21     37.93
13      24     28.48
14      25   -103.00
15      27    -37.40
16      28     25.96
17      30    -46.80
（数値実施例３）
図６は、数値実施例３のズームレンズの断面図であり、直角方向の矢印はフォーカスを行うレンズ群を表している。図７は、数値実施例３のズームレンズの広角端、中間、望遠端の収差図である。収差図の定義は数値実施例１と同様である。
面データ
面番号       r        d      nd         vd       有効径
1*       135.120    2.30   1.77250    49.6       50.19
2         18.638    6.13                         33.00
3         31.000    2.00   1.80400    46.6       34.89
4         22.266    0.10   1.51742    52.4       31.00
5*        22.168    8.56                         31.00
6        -53.518    2.80   1.75393    52.3       28.00
7        157.192    0.10                         32.13
8         40.555    7.11   1.63636    35.4       32.58
9       -100.609  (可変)                         32.00
10         53.242    2.72   1.80518    25.4       23.47
11         20.152    6.72   1.61293    37.0       21.88
12        165.652    0.10                         21.94
13        149.712    3.21   1.68894    31.3       21.99
14       -133.323  (可変)                         22.38
15        131.506    3.23   1.56907    71.3       23.35
16        -73.821  (可変)                         23.42
17(絞り)    ∞       0.36                         22.23
18       -173.324    2.85   1.83918    23.9       22.23
19        367.007    1.66                         22.20
20        -42.463    2.00   1.80440    39.6       22.20
21         35.448    4.94   1.84666    23.8       23.64
22        -99.824    1.88                         24.15
23          ∞     (可変)                         24.75
24         29.703   12.55   1.52855    77.0       31.61
25        -24.701    2.00   1.79952    42.2       31.65
26        -37.555    0.10                         32.66
27         92.146    2.00   1.90366    31.3       31.01
28         34.796    8.14   1.48656    84.5       29.68
29        -35.482    2.00   1.83441    37.3       29.41
30*      -116.030  (可変)                         29.61
像面        ∞   
非球面データ
第1面
K = 0.00000e+000  A 4= 2.07850e-005  A 6=-4.47100e-008  A 8= 7.20791e-011  A10=-6.87523e-014  A12= 2.66852e-017  
第5面
K = 0.00000e+000  A 4= 1.77980e-005  A 6=-1.04969e-008  A 8=-4.85995e-010  A10= 1.69916e-012  A12=-3.57355e-015  
第30面
K = 0.00000e+000  A 4= 1.19775e-005  A 6= 1.91361e-008  A 8=-1.26531e-013  A10= 1.31907e-013  
各種データ
ズーム比      1.77 
広角     中間     望遠
焦点距離      16.48    24.00    29.13  
Fナンバー      2.87     2.90     2.90  
画角          52.70    42.03    36.61  
像高          21.64    21.64    21.64  
レンズ全長   163.35   157.73   157.38  
BF            40.00    49.41    55.90  
d 9           20.42     5.47     0.10  
d14            2.24     7.21     4.90  
d16            0.10     5.53     8.87  
d23           15.01     4.54     2.04  
d30           40.00    49.41    55.90  
入射瞳位置    18.59    18.69    18.49  
射出瞳位置   -84.15   -40.87   -35.07  
前側主点位置  32.89    36.31    38.29  
後側主点位置  23.52    25.41    26.78  
ズームレンズ群データ
群  始面    焦点距離  レンズ構成長  前側主点位置  後側主点位置
1    1     -25.38        29.11         0.88        -24.72
2   10      86.83        12.74         2.72         -5.19
3   15      83.56         3.23         1.33         -0.74
4   17     -63.53        13.70         0.23         -9.26
5   24      43.26        26.79         2.07        -15.21
単レンズデータ
レンズ  始面   焦点距離
1       1      -28.23
2       3     -109.47
3       4   -14942.64
4       6      -52.66
5       8       46.33
6      10      -41.80
7      11       36.79
8      13      102.84
9      15       83.56
10      18     -139.95
11      20      -23.75
12      21       31.42
13      24       27.73
14      25      -96.97
15      27      -62.91
16      28       37.53
17      29      -61.95
（数値実施例４）
図８は、数値実施例４のズームレンズの断面図であり、直角方向の矢印はフォーカスを行うレンズ群を表している。図９は、数値実施例４のズームレンズの広角端、中間、望遠端の収差図である。収差図の定義は数値実施例１と同様である。
面データ
面番号       r        d      nd         vd       有効径
1*        86.065    2.30   1.77250    49.6       52.04
2         19.139   10.04                         35.00
3         59.748    2.20   1.80400    46.6       36.14
4         29.603    0.10   1.51640    52.2       32.87
5*        30.610    7.44                         32.84
6        -55.007    2.60   1.65975    59.4       32.84
7        637.090    0.10                         32.72
8         52.504    6.57   1.63995    34.7       33.05
9       -200.947  (可変)                         32.73
10         81.727    3.39   1.83826    27.5       30.00
11         26.162    7.28   1.61055    38.1       28.99
12       -498.508    0.59                         29.09
13         94.884    4.31   1.71002    51.1       29.30
14       -325.852  (可変)                         29.24
15        163.256    4.59   1.60888    63.5       31.15
16        -53.913  (可変)                         31.23
17(絞り)    ∞       0.47                         20.00
18       -194.909    2.20   1.83940    31.5       26.93
19        283.215    2.31                         26.64
20        -45.448    2.20   1.82119    44.3       26.64
21         50.932    5.12   1.84600    23.8       27.99
22       -105.521  (可変)                         28.44
23         30.020   10.47   1.52547    77.5       29.47
24        -26.282    2.20   1.83400    43.1       29.16
25        -39.397    0.10                         29.62
26        118.509    2.20   1.83568    38.7       28.06
27         24.763    9.20   1.54258    75.0       26.49
28        -30.708    0.10                         26.18
29        -29.884    2.20   1.83533    38.1       26.17
30*      -157.085  (可変)                         26.58
像面        ∞   
非球面データ
第1面
K = 0.00000e+000  A 4= 1.32284e-005  A 6=-1.77336e-008  A 8= 2.36648e-011  A10=-1.77584e-014  A12= 4.43892e-018  
第5面
K = 0.00000e+000  A 4= 1.23247e-005  A 6=-1.42508e-008  A 8=-1.13520e-010  A10= 3.43837e-013  A12=-9.32205e-016  
第30面
K = 0.00000e+000  A 4= 9.25263e-006  A 6= 1.75665e-008  A 8=-1.23212e-011  A10= 1.01400e-013  
各種データ
ズーム比      1.94 
広角     中間     望遠
焦点距離      17.51    24.01    33.98  
Fナンバー      2.91     3.21     3.86  
画角           0.00     0.00     0.00  
像高          21.64    21.64    21.64  
レンズ全長   178.81   174.18   175.92  
BF            41.60    48.49    60.70  
d 9           26.10    11.91     1.21  
d14            5.18     9.48    11.69  
d16            0.10     5.80    11.94  
d22           15.55     8.22     0.10  
d30           41.60    48.49    60.70  
入射瞳位置    20.85    21.06    21.82  
射出瞳位置   -55.04   -37.95   -25.17  
前側主点位置  35.19    38.40    42.36  
後側主点位置  24.09    24.48    26.73  
ズームレンズ群データ
群  始面    焦点距離  レンズ構成長  前側主点位置  後側主点位置
1    1     -23.68        31.35         3.18        -23.35
2   10      81.69        15.57         5.31         -4.41
3   15      67.10         4.59         2.16         -0.71
4   17     -61.60        12.30         0.62         -7.58
5   23      54.29        26.47        -1.54        -17.44
単レンズデータ
レンズ  始面  焦点距離
1       1     -32.34
2       3     -75.43
3       4    1686.06
4       6     -76.63
5       8      65.71
6      10     -47.22
7      11      40.93
8      13     103.94
9      15      67.10
10      18    -137.25
11      20     -28.95
12      21      41.22
13      23      28.49
14      24    -102.48
15      26     -37.86
16      27      26.83
17      29     -44.53
（数値実施例５）
図１０は、数値実施例５のズームレンズの断面図であり、直角方向の矢印はフォーカスを行うレンズ群を表している。図１１は、数値実施例５のズームレンズの広角端、中間、望遠端の収差図である。収差図の定義は数値実施例１と同様である。
面データ
面番号       r        d      nd         vd       有効径
1*        45.548    2.20   1.77250    49.6       51.95
2         18.619   15.29                         35.20
3      -1048.151    2.20   1.80400    46.6       36.24
4         30.949    0.51   1.51640    52.2       31.66
5*        33.679    5.30                         31.63
6       -101.963    5.70   1.75400    52.4       31.63
7        349.334    0.19                         31.16
8         53.532    7.70   1.69799    30.0       31.00
9       -255.075  (可変)                         30.07
10         58.647    2.20   1.83440    35.6       27.93
11         26.197    6.00   1.59059    68.0       27.98
12        284.569    0.10                         28.50
13         81.831    8.28   1.69642    56.3       29.67
14       -160.600    1.67                         30.01
15        118.261    4.29   1.63053    62.5       30.53
16       -100.745  (可変)                         30.44
17(絞り)    ∞       0.15                         19.28
18       -587.170    2.20   1.83400    43.1       27.14
19        234.565    2.02                         26.74
20        -53.251    2.20   1.83400    43.1       26.74
21         38.033    5.22   1.84046    24.0       27.80
22       -196.202  (可変)                         28.15
23         31.086    9.79   1.51804    76.3       28.89
24        -25.191    2.20   1.83505    40.2       28.31
25        -37.619    0.10                         28.48
26        107.392    2.22   1.83484    40.8       26.03
27         21.101    8.32   1.55915    72.9       24.04
28        -32.043    0.10                         23.97
29*       -31.000    2.20   1.74000    35.4       23.96
30*      -162.167  (可変)                         24.76
像面        ∞   
非球面データ
第1面
K = 0.00000e+000  A 4= 6.97184e-006  A 6=-1.18476e-009  A 8= 5.48768e-012  A10=-3.27012e-015  A12= 5.02677e-018  
第5面
K = 0.00000e+000  A 4= 5.73732e-006  A 6=-2.07434e-008  A 8= 4.60979e-011  A10=-3.57782e-013  A12= 4.65896e-016  
第29面
K = 0.00000e+000  A 4=-6.14272e-007  A 6=-3.59937e-009  A 8= 1.51764e-011  A10= 8.14952e-014  
第30面
K = 0.00000e+000  A 4= 8.40497e-006  A 6= 1.96530e-008  A 8=-4.70488e-011  A10= 3.46887e-013  
各種データ
ズーム比      2.06 
広角     中間     望遠
焦点距離      16.48    24.01    33.98  
Fナンバー      2.91     2.91     2.91  
画角          52.70    42.02    32.48  
像高          21.64    21.64    21.64  
レンズ全長   176.23   169.62   171.68  
BF            40.00    48.35    61.50  
d 9           24.99     9.40     0.10  
d16            0.10     6.74    11.63  
d22           12.78     6.78     0.10  
d30           40.00    48.35    61.50  
入射瞳位置    22.95    22.73    23.01  
射出瞳位置   -50.48   -36.08   -24.80  
前側主点位置  36.43    39.91    43.61  
後側主点位置  23.52    24.34    27.52  
ズームレンズ群データ
群  始面    焦点距離  レンズ構成長  前側主点位置  後側主点位置
1    1     -22.68        39.10         5.94        -26.46
2   10      39.80        22.53         8.43         -6.74
3   17     -62.66        11.79         1.53         -5.97
4   23      51.18        24.93         0.74        -14.89
単レンズデータ
レンズ  始面  焦点距離
1       1    -42.27
2       3    -37.36
3       4    694.69
4       6   -104.11
5       8     64.05
6      10    -58.55
7      11     48.44
8      13     78.95
9      15     86.94
10      18   -200.72
11      20    -26.31
12      21     38.29
13      23     28.56
14      24    -99.32
15      26    -31.83
16      27     24.11
17      29    -52.16
（数値実施例６）
図１２は、数値実施例６のズームレンズの断面図であり、直角方向の矢印はフォーカスを行うレンズ群を表している。図１３は、数値実施例６のズームレンズの広角端、中間、望遠端の収差図である。収差図の定義は数値実施例１と同様である。
面データ
面番号       r        d      nd         vd       有効径
1*        43.208    2.20   1.77250    49.6       50.65
2         18.736   15.27                         36.47
3       1184.128    2.64   1.80400    46.6       35.12
4         31.310    0.50   1.51640    52.2       30.60
5*        33.132    5.53                         30.44
6       -100.054    2.25   1.74938    52.7       30.15
7        201.841    0.13                         29.67
8         48.542    7.27   1.59588    40.3       29.47
9        -90.073  (可変)                         28.32
10        -83.463    2.20   1.73974    53.2       25.01
11       -261.533  (可変)                         26.15
12         71.786    2.20   1.77826    31.3       27.27
13         28.087    6.95   1.59325    67.6       28.04
14       2798.891    0.26                         29.13
15         79.989    6.92   1.73229    53.7       30.04
16       -190.246    0.10                         30.72
17        104.971    4.18   1.75493    32.8       30.95
18       -156.602  (可変)                         30.82
19(絞り)    ∞       0.48                         26.88
20       -193.115    2.20   1.81535    44.8       26.87
21       -826.815    1.02                         26.68
22        -81.478    2.20   1.83400    43.1       26.67
23         26.401    5.98   1.78530    25.7       27.11
24       1475.820  (可変)                         27.33
25         29.195   10.75   1.53475    76.1       28.01
26        -28.004    2.20   1.84021    30.3       27.97
27        -42.455    0.10                         28.75
28         88.975    2.20   1.84016    30.4       28.06
29         28.459    8.40   1.53411    76.2       26.96
30        -32.962    0.10                         26.77
31        -32.537    2.20   1.83400    43.1       26.72
32*      -338.051  (可変)                         27.14
像面        ∞   
非球面データ
第1面
K = 0.00000e+000  A 4= 6.32057e-006  A 6=-1.28223e-009  A 8= 9.07527e-012  A10=-1.08834e-014  A12= 1.20172e-017  
第5面
K = 0.00000e+000  A 4= 6.52693e-006  A 6=-3.40196e-008  A 8= 1.33838e-010  A10=-5.48368e-013  A12= 5.71852e-016  
第32面
K = 0.00000e+000  A 4= 1.12094e-005  A 6= 2.82571e-008  A 8=-5.28085e-011  A10= 2.53208e-013  
各種データ
ズーム比      2.06 
広角     中間     望遠
焦点距離      16.49    24.02    33.99  
Fナンバー      2.15     2.46     2.94  
画角          52.69    42.02    32.48  
像高          21.64    21.64    21.64  
レンズ全長   176.23   171.08   172.88  
BF            39.26    46.99    58.75  
d 9           12.36     7.57     2.80  
d11           10.47     3.21     0.10  
d18            0.10     8.44    14.69  
d24           17.60     8.43     0.10  
d32           39.26    46.99    58.75  
入射瞳位置    23.41    23.51    24.06  
射出瞳位置   -60.73   -36.40   -23.24  
前側主点位置  37.18    40.61    43.96  
後側主点位置  22.78    22.98    24.76  
ズームレンズ群データ
群  始面    焦点距離  レンズ構成長  前側主点位置  後側主点位置
1    1     -25.46        35.80         5.54        -25.58
2   10    -166.59         2.20        -0.60         -1.87
3   12      36.75        20.61         7.70         -5.22
4   19     -62.44        11.88         2.46         -4.77
5   25      48.89        25.95        -1.63        -16.92
単レンズデータ
レンズ  始面  焦点距離
1       1     -44.57
2       3     -40.04
3       4    1008.29
4       6     -88.98
5       8      53.99
6      10    -166.59
7      12     -60.62
8      13      47.78
9      15      77.74
10      17      83.82
11      20    -309.51
12      22     -23.69
13      23      34.17
14      25      28.60
15      26    -105.24
16      28     -50.64
17      29      30.02
18      31     -43.31
【００３３】
【表１】
2012063568.tif 000007
【００３４】
各数値実施例は、いずれも数式１（および数式２）と数式３を満足している。
【００３５】
以上、本発明の好ましい実施例について説明したが、本発明はこれらの実施例に限定されず、その要旨の範囲内で種々の変形及び変更が可能である。
【産業上の利用可能性】
【００３６】
ズームレンズは撮像装置に適用することができる。
【符号の説明】
【００３７】
Ｌ１              第１レンズ群
Ｌ２              第２レンズ群
Ｌ３              第３レンズ群
Ｌ４              第４レンズ群
Ｌ４１            第４１レンズ群
Ｌ４２            第４２レンズ群
ＮＬ              第１負レンズ
【図１】
2012063568.tif 000008
【図２】
2012063568.tif 000009
【図４】
2012063568.tif 000010
【図６】
2012063568.tif 000011
【図８】
2012063568.tif 000012
【図１０】
2012063568.tif 000013
【図１２】
2012063568.tif 000014
【図１４】
2012063568.tif 000015
【図３】
2012063568.tif 000016
【図５】
2012063568.tif 000017
【図７】
2012063568.tif 000018
【図９】
2012063568.tif 000019
【図１１】
2012063568.tif 000020
【図１３】
2012063568.tif 000021